(57)【要約】      （修正有）【課題】取付けに必要な作業者が一人でも足り作業を簡略化でき、当初からフロアパネル上に敷かれているフロアボード等に干渉し難い車両用の重量物の取付具を提供する。【解決手段】車両のフロアパネルにタンクを取り付けるための車両用の重量物の取付具１において、下面側にフロア固定用ボルト３０が固設された板状のアッパーフロアブラケット１０ａ〜１０ｄと、ナット９を用いてフロア固定用ボルト３０と螺合固定可能なボルト挿通孔が形成されるとともにタンク固定するために下面側にタンク固定用ボルトが固設されたアンダーフロアブラケット２０とを設けた。【選択図】図２
0003183388.tif 000002
【実用新案登録請求の範囲】
【請求項１】
車両のフロアパネルに燃料タンク等の重量物を取り付けるための車両用の重量物の取付具であって、下面側にフロア固定用ボルトが固設された板状のアッパーフロアブラケットと、ナットを用いて前記フロア固定用ボルトと螺合固定可能なボルト挿通孔が形成されるとともに前記重量物を固定するために下面側に重量物固定用ボルトが固設されたアンダーフロアブラケットとが備えられたことを特徴とする車両用の重量物の取付具。
【請求項２】
前記アッパーフロアブラケットは前記フロアパネル上面に形成された凹部内に収容保持されるものであるとともに、前記アッパーフロアブラケットの上面は、平滑面とされていることを特徴とする請求項１に記載の車両用の重量物の取付具。
【請求項３】
前記アッパーフロアブラケットの厚みは、前記フロアパネルの平面側に形成された凹部の深さよりも薄く形成されていることを特徴とする請求項１または請求項２に記載の車両用の重量物の取付具。
【請求項４】
前記アッパーフロアブラケットの平面視形状は、前記フロアパネルの上面側に形成されたいずれかの凹部の平面視形状と同一であることを特徴とする請求項１から請求項３のいずれかに記載の車両用の重量物の取付具。
【請求項５】
前記重量物はガス燃料タンクであることを特徴とする請求項１から請求項４のいずれかに記載の車両用の重量物の取付具。
【請求項６】
車両のフロアパネルに燃料タンク等の重量物を取り付けるための車両用の重量物の取付具であって、底面側にフロア固定用ボルトが固設された板状のアッパーフロアブラケットと、ナットを用いて前記フロア固定用ボルトと螺合固定可能なねじ穴が形成されるとともに前記重量物を固定するために底面側に重量物固定用ボルトが固設されたアンダーフロアブラケットとが備えられ、前記アッパーフロアブラケットは前記フロアパネル上面に形成された凹部内に収容保持されるものであるとともに、前記アッパーフロアブラケットの上面は平滑面とされ、前記アッパーフロアブラケットの厚みは、前記フロアパネルの平面側に形成された凹部の深さよりも薄く形成され、前記アッパーフロアブラケットの平面視形状は、前記フロアパネルの平面側に形成されたいずれかの凹部の平面視形状と同一であり、前記重量物はガス燃料タンクであることを特徴とする車両用の重量物の取付具。
【考案の詳細な説明】
【技術分野】
【０００１】
この考案は、車両のフロア下にＬＰＧ燃料タンク等の重量物を追加して取り付けるための車両用の重量物の取付具に関する。
【背景技術】
【０００２】
ＬＰＧガスを燃料として併用する「バイフューエル車両」が知られている。このようなバイフューエル車両は、既存のガソリン燃料車にＬＰＧ燃料タンクとの燃料噴射切り替え装置を追加して実現することができ、近年では、環境保護や燃費軽減の意識の高まりにより利用が広まり、特に欧米諸国等では車種別の取付けキットが販売されるなど、広く利用されている。
【０００３】
従来から、このようなバイフューエル車両にＬＰＧ燃料タンクを追加して取り付ける場合などのように、重量物を車両に追加して取り付けることがある。ＬＰＧ燃料タンクの場合には、車両後部の荷室内や、荷室下のスペアタイヤの収納部に取り付けることもある。日本国外の一部では認可されているスペアタイヤの収納部に取り付けるものでは、収納部と同形状のタンクをそのまま収納部に収めるものがあり、前述した取付けキットにおいては、このようなタイプが多くみられる。しかしながら、荷室内にタンクを取り付けることが困難な場合や、スペアタイヤが車外に取り付けられており収納部が無い車両や、スペアタイヤの収納部があっても収納部よりも大きな容量のタンクを望む場合などにも車両にタンクを取り付けるために、リアフロアパネル下にＬＰＧ燃料タンクを取り付ける取付具が従来から利用されている。特に、ミニバンタイプの車両においては、リアフロアパネル下にスペアタイヤが取り付けられており、このスペアタイヤを取り外して、このスペースを利用してＬＰＧ燃料タンクを取り付けることが多い。
【０００４】
このようにリアフロアパネル下に例えばＬＰＧ燃料タンク等の重量物を取り付ける従来の取付具としては、以下のようなものが知られている。ＬＰＧ燃料タンクの場合等には、まず、リアフロアパネル下のスペアタイヤを取り外す。ついで、最低地上高の確保等の問題からＬＰＧ燃料タンクの下端位置をより高い位置としたい場合等には、ＬＰＧ燃料タンクをリアフロアパネルにより近接した位置に取り付けるために、必要に応じてメンバーの一部を切除する。ついで、フロアパネルにボルト挿通孔を適宜の位置に開口する。そして、フロアパネル上側にボルト固定用のブラケットを配設した上で、このブラケットを介して、フロアパネルのボルト挿通孔に下側に向けてボルト先端を突出させる。一方、フロアパネル下側においては、タンクを固定するための支持フレームにボルトを挿通し、フロアパネル上側から挿通させたボルトにナットを螺着してタンクを取付固定する（例えば特許文献１参照）。
【先行技術文献】
【特許文献】
【０００５】
【特許文献１】特開２０００−２１９０４９号公報（図１、図４等）
【考案の概要】
【考案が解決しようとする課題】
【０００６】
しかしながら、前述した従来のタンクの取付具では以下のような問題が生じていた。フロアパネル上側のブラケットにボルトを挿通してフロアパネルの下側からナットを取り付けることとしているため、フロアパネルの上側でボルトを回す作業者と、フロアパネルの下側でナットを保持する作業者との二人の作業者が必要になり、作業人数を多くしなければならず作業が煩雑になっていた。また、ブラケットにボルトを固定するため、ボルトの頭がブラケットから上方に突出する。このボルト頭が、当初からフロアパネル上に敷かれているフロアボード等に干渉して、フロアボードが傾く等の問題が生じていた。
【０００７】
本考案が解決しようとする目的は、前述の従来技術の問題点を解決するものであり、取付けに必要な作業者が一人でも足り作業を簡略化できるタンク取付具を提供することを目的とする。また、当初からフロアパネル上に敷かれているフロアボード等に干渉し難いタンク取付具を提供することを目的とする。
【課題を解決するための手段】
【０００８】
上記課題を解決するものは以下のものである。
（１）本考案の第一の手段の車両用の重量物の取付具は、車両のフロアパネルに燃料タンク等の重量物を取り付けるための車両用の重量物の取付具であって、下面側にフロア固定用ボルトが固設された板状のアッパーフロアブラケットと、ナットを用いて前記フロア固定用ボルトと螺合固定可能なボルト挿通孔が形成されるとともに前記重量物を固定するために下面側に重量物固定用ボルトが固設されたアンダーフロアブラケットとが備えられたことを特徴とするものである。
【０００９】
フロア固定用ボルトはアッパーフロアブラケットに固設されているので、フロアパネルの上面側からボルトをねじ込む作業は必要ない。したがって、フロアパネル下面側からフロア固定用ボルトにナットを螺着するだけでアンダーフロアブラケットに固定ができる。よって、フロアパネル下面側に一人の作業者がいればこの作業を行うことができる。また、タンクなどの重量物を固定するための重量物固定用ボルトは、アンダーフロアブラケットに固設されているので、形状や大きさの異なるタンクの形状に取り替える必要があるなど重量物固定用ボルトの位置の変更が必要な場合には、ナットを取り外してアンダーフロアブラケットのみを変更することで対応することができる。ボルトの固設は例えばブラケット本体に溶接などして行うことができる。また、本考案に言う「重量物」とは、例えば、ＬＰＧ燃料タンク、ＣＮＧ燃料タンク、蓄電池などの車両に追加する重量物や、他の設備取付スペース確保のため移設するガソリンタンクや軽油等の燃料タンクなどを例示することができるが、これらに限定されるものではない。
【００１０】
（２）また、本考案の第二の手段の車両用の重量物の取付具は、前述した車両用の重量物の取付具であって、前記アッパーフロアブラケットは前記フロアパネル上面に形成された凹部内に収容保持されるものであるとともに、前記アッパーフロアブラケットの上面は、平滑面とされていることを特徴とするものである。
【００１１】
アッパーフロアブラケットの上面にはボルト頭などが突出せずに平滑面とされているので、アッパーフロアブラケットの上に敷かれているフロアボードが傾いたりがたついたりするなどの不具合が生じ難い。また、重量物を支えるためにアッパーフロアブラケットの厚みを増して補強をする必要がある場合には、ボルト頭などが突出していない分についても必要に応じて厚みを増すことが容易となる。
【００１２】
（３）また、本考案の第三の手段の車両用の重量物の取付具は、前述した車両用の重量物の取付具であって、前記アッパーフロアブラケットの厚みは、前記フロアパネルの平面側に形成された凹部の深さよりも薄く形成されていることを特徴とするものである。
【００１３】
特に、フロアパネル上面の凹部内に保持固定されるアッパーフロアブラケットの場合、凹部よりも上方にアッパーフロアブラケットが突出しないので、前述したフロアボードなどが傾いたりがたついたりする不具合が生じ難い。
【００１４】
（４）また、本考案の第四の手段の車両用の重量物の取付具は、前述した車両用の重量物の取付具であって、前記アッパーフロアブラケットの平面視形状は、前記フロアパネルの上面側に形成されたいずれかの凹部の平面視形状と同一であることを特徴とするものである。
【００１５】
このように凹部の平面視形状と同一に設けることにより、フロアパネルの水平方向においてもアッパーフロアブラケットの凹部内での収容保持が確実におこなえる。
【００１６】
（５）また、本考案の第五の手段の車両用の重量物の取付具は、前述した車両用の重量物の取付具であって、前記重量物はガス燃料タンクであることを特徴とするものである。
【００１７】
特に近年、ガソリン車をバイフューエル車両に変更する需要の高まりから、フロアパネル下面に取り付ける重量物としてガス燃料タンクとするものに本考案を適用することが好適と考えられる。
【００１８】
（６）また、本考案の第六の手段の車両用の重量物の取付具は、車両のフロアパネルに燃料タンク等の重量物を取り付けるための車両用の重量物の取付具であって、底面側にフロア固定用ボルトが固設された板状のアッパーフロアブラケットと、ナットを用いて前記フロア固定用ボルトと螺合固定可能なねじ穴が形成されるとともに前記重量物を固定するために底面側に重量物固定用ボルトが固設されたアンダーフロアブラケットとが備えられ、前記アッパーフロアブラケットは前記フロアパネル上面に形成された凹部内に収容保持されるものであるとともに、前記アッパーフロアブラケットの上面は平滑面とされ、前記アッパーフロアブラケットの厚みは、前記フロアパネルの平面側に形成された凹部の深さよりも薄く形成され、前記アッパーフロアブラケットの平面視形状は、前記フロアパネルの平面側に形成されたいずれかの凹部の平面視形状と同一であり、前記重量物はガス燃料タンクであることを特徴とする車両用の重量物の取付具である。
【考案の効果】
【００１９】
本考案の車両用の重量物の取付具は、前述の構成とされているので、アッパーフロアブラケットとアンダーフロアブラケットとの固定作業を一人ででき、作業の簡略化を図ることができる。また、アッパーフロアブラケットがフロアボードに干渉し難いので、取付具を取り付けることによってフロアボードについてアッパーフロアブラケットに干渉する部位を切除するなどの加工をする必要が無く、作業時間及び作業コストを低減することができる。
【図面の簡単な説明】
【００２０】
【図１】図１は、本考案の取付具の一部透視平面図である。
【図２】図２は、取付具を取り付けた状態のフロアパネルの説明図である。
【図３】図３は、取付具を取り付ける前の車両下部のフロアパネル下部周辺の説明図である。
【図４】図４は、治具を設置した状態のフロアパネル上部周辺の説明図である。
【図５】図５は、アッパーフロアブラケットを設置した状態のフロアパネル上部周辺の説明図である。
【図６】図６は、アンダーフロアブラケットを設置した状態のフロアパネル下部周辺の説明図である。
【図７】図７は、取付具にタンクを取り付けた状態のフロアパネル下部周辺の説明図である。
【図８】図８は、取付具を設置した後にフロアボードを被せた状態のフロアパネル上部周辺の説明図である。
【考案を実施するための形態】
【００２１】
本考案の車両用の重量物の取付具について、図面を参照して詳細に説明する。本考案の取付具１は、図１及び図２に示されるように、鋼製の複数のアッパーフロアブラケット１０ａ，１０ｂ，１０ｃ，１０ｄと、鋼製の一枚のアンダーフロアブラケット２０とを備えており、ＬＰＧ燃料タンクＸを取り付けるためのものである。
【００２２】
図１に示されるように、アッパーフロアブラケット１０ａ，１０ｂ，１０ｃ，１０ｄは、平面視においてそれぞれ長い長方形の板状に形成されている。フロアパネル２の中央に配置されるアッパーフロアブラケット１０ｂ，１０ｃは、幅４４ｍｍ、長さ７１５ｍｍに形成されている。アッパーフロアブラケット１０ｂ，１０ｃの下面側には、フロア固定用ボルト３０が二か所固設されている。本実施の形態では、フロア固定用ボルト３０はあらかじめアッパーフロアブラケット１０ｂ，１０ｃの下面に対して溶接されて固設されている。フロア固定用ボルト３０は、アッパーフロアブラケット１０ｂ，１０ｃのそれぞれの長さ方向の中心から一端側に１８０ｍｍ、他端側に１８５ｍｍの位置に、かつ幅方向の中心に、長さ２５ｍｍ太さ８ｍｍとされている。また、フロア固定用ボルト３０とは反対側のアッパーフロアブラケット１０ｂ，１０ｃの上面側は、フロア固定用ボルト３０の頭などは突設されておらず、平らな平滑面に形成されている。
【００２３】
フロアパネル２の左右両側に配置されるアッパーフロアブラケット１０ａ，１０ｄの下面側には、前述したアッパーフロアブラケット１０ａ，１０ｄと同様のフロア固定用ボルト３０が、それぞれ５か所ずつ溶接されて固設されている。フロア固定用ボルト３０は、アッパーフロアブラケット１０ａ，１０ｄのそれぞれの長さ方向の中心から一端側に１８０ｍｍ、他端側に１８５ｍｍの位置に、左右端からそれぞれ２０ｍｍの位置に、それぞれ計４か所と、幅方向の一方の側の長さ方向の二つのフロア固定用ボルト３０の中心に１か所の合計５か所に固設されている。そして、これらのアッパーフロアブラケット１０ａ〜１０ｄは、取り付けるタンクＸを確実に保持するように一定以上の強度を確保するために、いずれも６ｍｍの厚みに設けられている。また、この厚みは、後述するように、フロアパネル２の表側の凹部６ａ〜６ｄの深さよりも薄く形成されており、これらのアッパーフロアブラケット１０ａ〜１０ｄがフロアパネル２の凹部６ａ〜６ｄから上方に突出しないように構成されている。なお、凹部６ａ〜６ｄの形状・サイズは取付車種毎に異なっているため、アッパーフロアブラケット１０ａ〜１０ｄには、取付車種に応じてそれぞれ専用の形状・サイズが採用されている。また、中寄りのアッパーフロアブラケット１０ｂ、１０ｃについては、後述するタンクＸの取付け時にタンクＸが邪魔になり易いため、ナット９の締め付け作業を容易とするように、その幅方向においてフロア固定用ボルト３０を１か所のみとしている。一方で、タンクＸの支持のための強度を確保するために、左右端のアッパーフロアブラケット１０ａ、１０ｄでは、長さ方向の両端の部位において、その幅方向に２か所ずつフロア固定用ボルト３０を設けている。
【００２４】
次いで、アンダーフロアブラケット２０について説明する。アンダーフロアブラケット２０は、平面視において縦４１５ｍｍ、横８９０ｍｍ、厚み４．５ｍｍの長方形状の薄板状に形成されている。アンダーフロアブラケット２０には、前述したアッパーフロアブラケット１０ａ〜１０ｄがフロアパネル２の凹部６ａ〜６ｄに設置された状態において、これらのフロア固定用ボルト３０の位置に対応する位置に、ボルト挿通孔２２が計１４か所設けられている。
【００２５】
また、アンダーフロアブラケット２０の下面には、４本のタンク固定用ボルト（重量物固定用ボルト）２４が突設されている。本実施の形態では、タンク固定用ボルト２４は長さ５０ｍｍ太さ１２ｍｍに設けられている。タンク固定用ボルト２４は、アンダーフロアブラケット２０の下面に溶接されて固設されており、その固設部位は、厚さ４．５ｍｍ、縦横４４ｍｍ四方の板状の裏あて２６により補強されている。
【００２６】
このように、本実施の形態の取付具１では、アッパーフロアブラケット１０ａ〜１０ｄにあらかじめフロア固定用ボルト３０が固設されているため、従来技術のように、アッパーフロアブラケット１０ａ〜１０ｄに対してボルトを螺着する作業を必要としない。また、アンダーフロアブラケット２０側にタンク固定用ボルト２４が固設されており、アッパーフロアブラケット１０ａ〜１０ｄ側にはタンク固定用のボルトは取り付けられていない。よって、タンク固定用ボルト２４の位置が異なるアッパーフロアブラケット２０に取り替えれば、アッパーフロアブラケット１０ａ〜１０ｄを取り替えることなく、大きさが異なるタンクの取り付け位置に容易に変更することができる。
【００２７】
次いで、取付具１の車両への取付方法について説明する。まず最初に、図３に示されるように、車両後部のフロアパネル２の下面側において、スペアタイヤ（図示省略）を取り外し、スペアタイヤが取り付けられていたフレーム３の一部を切除する。フレーム３が残存していると、取り付けるタンクＸの下端の位置が下がり、必要な地上高を確保できない場合には、このようにフレーム３の一部を切除してタンクＸの位置を高くすることが望ましい。
【００２８】
次いで、フロアパネル２に、アッパーフロアブラケット１０ａ〜１０ｄのフロア固定用ボルト３０を挿通するための挿通孔４を開口する。図４に示されるように、荷室内のフロアボード３１などを取り外したフロアパネル２の表側に治具５を設置する。治具５は、このフロアパネル２の各凹部６ａ〜６ｄにはめ込むことのできるはめ込み部７ａ〜７ｄを備えている。はめ込み部７ａ〜７ｄは、それぞれ平面視形状がアッパーフロアブラケット１０ａ〜１０ｄと同一に形成されており、アッパーフロアブラケット１０ａ〜１０ｄのフロア固定用ボルト３０に対応する位置においてフロアパネル２に挿通孔４を開口するための位置決め用の孔８が開口されている。治具５のそれぞれのはめ込み部７ａ〜７ｄを凹部６にはめ込んで位置決めをおこなった後に、これらの孔８を通じてドリル（図示省略）によって、フロアパネル２に挿通孔４を開口する。このような治具５を用いることにより孔８の位置においてフロアパネル２に挿通孔４を開口するだけで良く、アッパーフロアブラケット１０ａ〜１０ｄのフロア固定用ボルト３０の位置に正確かつ簡易迅速に挿通孔４を開口することができる。
【００２９】
次いで、図５に示されるように、フロアパネル２の挿通孔４にフロア固定用ボルト３０を挿通させながら、アッパーフロアブラケット１０ａ〜１０ｄのそれぞれを、フロアパネル２の凹部６ａ〜６ｄに取付する。アッパーフロアブラケット１０ａ〜１０ｄには、あらかじめフロア固定用ボルト３０が固設されているので、取付具１の取り付け時には、アッパーフロアブラケット１０ａ〜１０ｄにフロア固定用ボルト３０を取り付けるための作業は必要ない。
【００３０】
次いで、図６に示されるように、フロアパネル２の下面側に、アンダーフロアブラケット２０を取り付ける。前述の通り、アッパーフロアブラケット１０ａ〜１０ｄの１４本のフロア固定用ボルト３０が、フロアパネル２の挿通孔４から、フロアパネル２の下面側に挿通されて突設されている。これらのフロア固定用ボルト３０を、アンダーフロアブラケット２０の１４か所のボルト挿通孔２２に挿通し、さらにナット９をこれらのフロア固定用ボルト３０に螺着して、フロアパネル２を挟んでアッパーフロアブラケット１０ａ〜１０ｄとアンダーフロアブラケット２０とを固定する。この際に、フロア固定用ボルト３０はアッパーフロアブラケット１０ａ〜１０ｄに固設されているので、フロアパネル２の上面側からボルトをねじ込む作業は必要ない。フロアパネル２下面側からフロア固定用ボルト３０にナット９を螺着するだけで固定ができ、フロアパネル２下面側に一人の作業者がいればこの作業を行うことができる。なお、図６に示されるように、このようにして固定されたアンダーフロアブラケット２０の下面にはタンク固定用ボルト２４が突設されている。
【００３１】
次いで、このタンク固定用ボルト２４を用いて、図７に示されるように、タンクＸを取り付ける。タンク支持フレームＹを介して、タンクＸをタンク固定用ボルト２４に固定してタンクＸの取付が完了する。
【００３２】
このようにタンクＸの取付が完了した後に、図８に示されるように、フロアボード３１をフロアパネル２上に再び固定する。この際に、図２に示されるように、アッパーフロアブラケット１０ａ〜１０ｄは、その上面にフロア固定用ボルト３０の頭が突出しておらず平滑面とされ、また、アッパーフロアブラケット１０ａ〜１０ｄの厚みはフロアパネル２の凹部６ａ〜６ｄの深さよりも薄く設けられているので、アッパーフロアブラケット１０ａ〜１０ｄが干渉してフロアボード３１が傾いたり浮き上がったりして荷室の美観や利便性を損なうというおそれはない。
【００３３】
特に、タンクＸなどの重量物をフロアパネル２に保持させるためには、アッパーフロアブラケット１０ａ〜１０ｄの厚みを一定以上として強度を確保する必要がある。従来技術のようにボルトの頭がアッパーフロアブラケット１０ａ〜１０ｄ上面に突出した態様となると、ボルトの頭の高さ分、アッパーフロアブラケット１０ａ〜１０ｄの厚みを増すことが制限されるが、本実施の形態のアッパーフロアブラケット１０ａ〜１０ｄでは、ボルトの頭が突出していない分、厚みに自由度を持たせることができる。
【００３４】
また、タンクXの大きさや形状に左右されることなく、フロアパネル２に挿通するフロア固定用ボルト３０の位置を定めることができるので、取付具１の固定を確実にすることができるなどの利便性に富む。例えば、本例の取付具１では、タンク固定用ボルト２４の位置に関係なく、アッパーフロアブラケット１０ａ〜１０ｄは、すべてフロアパネル２の凹部６ａ〜６ｄ内に配置することができるので、アッパーフロアブラケットを凹部内外に別々に配置する必要が生ずることなどがない。また、大きさの異なるタンクに取り替える場合などにおいて、タンクの形状に合せてタンク固定用ボルトの位置を変更する必要がある場合には、アッパーフロアブラケット１０ａ〜１０ｄはそのままにして、タンク固定用ボルトの位置が異なるアンダーフロアブラケットを別に用意してアッパーフロアブラケット１０ａ〜１０ｄに付け替えるだけで良い。よって、このような変更時における取り替えコストを低減でき。取り換え作業も簡略化することができる。また、別のタンク用のタンク支持フレームの取り付け位置に合せて改めてフロアパネル２に別の挿通孔を開ける必要もない。
【００３５】
また、アッパーフロアブラケット１０ａ〜１０ｄとアンダーフロアブラケット２０とをフロアパネル２に堅固に取付固定することにより、タンクＸのような重量物を取り付ける際のフロアパネル２を補強することができる。特に、上記したようにフレーム３の一部を切除したような場合には、このような補強効果が有効に働く。
【００３６】
本考案は前述の例に限られず、本考案の趣旨の範囲内で適宜の変更が可能である。例えば、フロア固定用ボルト３０やボルト挿通孔２２の数や位置は、適宜変更することができる。アッパーフロアブラケット１０ａ〜１０ｄの平面視形状などはフロアパネルの凹部の形状に合せて適宜変更して良い。また、アンダーフロアブラケット２０の形状についてもフロアパネル２やフロアパネル２の周辺部位に合わせて適宜変更することができる。また、フロア固定用ボルト３０の固設態様は溶接に限らず他の方法でも良い。また、ＬＰＧ燃料タンク以外の燃料タンクや、その他の重量物を取り付けるために用いても良い。
【産業上の利用可能性】
【００３７】
本考案は、車両の燃料タンク等の重量物を追加して取り付けるための車両用の重量物の取付具について広く用いることができる。
【符号の説明】
【００３８】
１；取付具、２；フロアパネル、３；フレーム、４；挿通孔、５；治具、６ａ〜６ｄ；凹部、７ａ〜７ｄ；はめ込み部、８；孔、９；ナット、１０ａ〜１０ｄ；アッパーフロアブラケット、２０；アンダーフロアブラケット、２２；ボルト挿通孔、２４；タンク固定用ボルト、２６；裏あて、３０；フロア固定用ボルト、３１；フロアボード、Ｘ；タンク、Ｙ；タンク支持フレーム。
【図１】
0003183388.tif 000003
【図２】
0003183388.tif 000004
【図３】
0003183388.tif 000005
【図４】
0003183388.tif 000006
【図５】
0003183388.tif 000007
【図６】
0003183388.tif 000008
【図７】
0003183388.tif 000009
【図８】
0003183388.tif 000010